(57)【要約】【課題】  鞘に収容した鋸が不用意に抜け出すことがないとともに、鋸の取り出し及び収容の取り扱いが容易な鋸用鞘を実現する。【解決手段】  鞘本体１の上部外表面部分に、鞘本体の内外方向に回動可能であってバネ10によって先方部分が鞘本体の内方に回動するべく付勢された係止体３を配置する。係止体３には、その内面に上から下への平滑なガイド面3aを備えるとともに、ガイド面の先端に下向きの爪11を形成する。鋸４を鞘本体１に収容する場合は、鋸を鞘本体に挿入することによって、係止体３の爪11と鋸４の鋸柄６の一部に形成されている係合段部12が自動的に係合し、収容状態を維持する。鋸を取り出す場合は、係止体３の上部を手指で押圧することによって爪11と係合段部12との係合が外れ、鋸４を自由に取り出すことができる。【選択図】  図２
2005279836.tif 000002
【特許請求の範囲】
【請求項１】
鞘本体の上部外表面部分に、鞘本体の内外方向に回動可能であってバネによって先方部分が鞘本体の内方に回動するべく付勢された係止体を配置し、該係止体はその内面に上から下への平滑なガイド面を備えるとともに、該ガイド面の先端に下向きの爪を形成し、該係止体の爪が鞘本体に挿入した鋸柄の一部に形成されている係合段部に係合することにより、鞘本体に挿入した鋸の脱落を防止することを特徴とする鋸用鞘。
【請求項２】
鞘本体の上部外表面部分に配置する係止体は、鞘本体の開口端部分に設けるとともに、係止体の基端に外表面方向に反り返った指掛け部を形成したことを特徴とする請求項１記載の鋸用鞘。
【請求項３】
係止体の内方への回動は、鋸柄に形成した係合段部係合した状態の位置よりも内方への過回動を防止するストッパー手段が設けられていることを特徴とする請求項１又は２記載の鋸用鞘。
【発明の詳細な説明】
【技術分野】
【０００１】
この発明は、主として枝打ちや剪定の作業に使用する鋸を、腰にぶら下げて携行するための鋸用鞘に関する発明である。
【背景技術】
【０００２】
鋸を携行するために、腰にぶら下げる鞘や、各種の保護ケースに鋸を収容することは従来から行われている。また、鞘に収容してぶら下げた状態で、作業中に鋸が脱落しないように係止手段を設けることも従来から行われている。鞘に収容した鋸が脱落しないようにするために、従来は、固定紐やベルトなどを用いて、主として柄の部分を鞘や保護ケースに固定するようにするのが一般的であった。このような、従来の固定方法では、鋸の着脱に手間取るため作業性が悪い欠点があった。
【０００３】
鞘に収容した鋸を素早く取り出すことができるとともに、鋸が鞘から脱落しないようにするものとして、特許文献１や特許文献２の構造が工夫されている。特許文献１に開示された発明は、鞘体自体に弾性を有する柄首強制保持部を形成し、この柄首強制保持部によって鋸の柄の一部を弾性的に保持させるものである。また、特許文献２に開示された発明は、鞘本体の側面に設けた抜け止め部材、具体的には板バネによって鞘に挿入した鋸の鋸身を押圧することによって、鋸が抜け出さないようにしたものである。
【特許文献１】実用新案登録第３０３３５９４号公報
【特許文献２】実開平７−７８８５号公報
【発明の開示】
【発明が解決しようとする課題】
【０００４】
特許文献１や特許文献２に記載された発明は、鞘に対して鋸を自由に抜き差しすることができるものであるが、鞘に収容した鋸を確実に保持することが困難であって、作業者の動きや姿勢によっては、鋸が不用意に脱落する危険性があった。本発明は、このような従来技術の欠点に鑑み、鞘に収容した鋸が不用意に抜け出すことがないとともに、鋸の取り出し及び収容の取り扱いが容易であり、剪定などの作業を能率的に行うことができる鋸用鞘を提供することを目的とするものである。
【課題を解決するための手段】
【０００５】
上記目的を達成するため本発明は、鞘本体１の上部外表面部分に鞘本体１の内外方向に回動可能であってバネ10によって先方部分が鞘本体１の内方に回動するべく付勢された係止体３を配置する。この係止体３は、その内面に上から下への平滑なガイド面3aを備えるとともに、ガイド面3aの先端に下向きの爪11を形成し、係止体３の爪11が鞘本体１に挿入した鋸４の、鋸柄６の一部に形成されている係合段部12に係合するようにする。これにより、鞘本体１に挿入した鋸４は、鋸柄６の係合段部12に係止体３の爪11が係合し、抜け出すことができない。鋸４を取り出すには、係止体３を手指で押圧し、爪11と係合段部12との係合を外すことによって抜き出すことができる。
【０００６】
鞘本体１の上部外表面部分に配置する係止体３は、鞘本体１の開口端部分に設けるとともに、係止体３の基端に外表面方向に反り返った指掛け部3bを形成した構造とし、また、係止体３の内方への回動に対しては、鋸柄６に形成した係合段部12に爪11が係合する状態の位置よりも大きく内方へ大きく過回動しないようにストッパー手段を設けておくのが好ましい。
【発明の効果】
【０００７】
請求項１記載の本発明鋸用鞘によれば、鋸４を鞘本体１に収容する場合に、鞘本体１に鋸４を差し込んで係止体３の爪11部分に鋸柄６が達したときに、鋸柄６自身によって係止体３を押し上げ、鋸柄６に形成した係合段部12に爪11が到達すると、係止体３の爪11が係合段部12に係合し、かつバネ10の付勢力によって係止状態を維持し、鋸４の抜け出しを防止する。鋸４を取り出す場合は、バネ10などの付勢力に抗して係止体３を回動させ、係止体３の爪11と鋸柄６に形成した係合段部12との係合を解除することによって、自由に取り出すことができる。
【０００８】
請求項２記載の発明によれば、鋸４を取り出すために係止体３の爪11と鋸柄６に形成した係合段部12との係合を解除する際、鋸柄６に掛けた手の指で、係止体３の回動操作を行うことができるため、その取り扱いが容易なものとなる。また、請求項３記載の発明によれば、鋸４を取り出したときに、係止体３が必要以上に回動することがなく、鋸４の鞘本体１への挿入が容易なものとすることができる実益を有する。
【発明を実施するための最良の形態】
【０００９】
以下、本発明に係る鋸用鞘の好ましい実施形態を添付の図面に基づいて説明する。図１は、本発明に係る鋸用鞘の上部のみの縦断面図である。
【００１０】
図示実施形態の鋸用鞘は、鋸４の鋸刃板５を挿入することができる扁平な筒状の鞘本体１と、鞘本体１を作業者の腰ベルトなどに吊り下げるための吊り下げ片２と、鞘本体１に挿入した鋸４を係止するための係止体３で構成する。鞘本体１は、収容する鋸４の鋸刃板５の形状に合わせて先細り形状とし、上端の開口部分に鋸４の鋸柄６の一部が入り込むようにしている。すなわち、扁平筒である鞘本体１の幅が先細りとなるとともに、その厚みも上方に向けて大きくなるようにし、上端部に鋸柄６の先端部分のみが入り込む厚み及び幅である鋸柄先端挿入部分７を形成している。そして、鋸柄先端挿入部分７の鞘本体１上部外表面に、鋸４の抜け出しを防止するための係止体３を配置している。
【００１１】
鞘本体１の上部外表面に係止体３を配置するために、係止体収容部８を形成している。係止体収容部８は左右両側にリブ９,９を立設することによって略台形に形成し、その内方に嵌まり込む態様で、略台形平板状の係止体３を配置する。係止体収容部８は、その底壁8aの一部を切除して窓孔8bを形成するとともに、左右両側のリブ９,９部分に係止体３を軸支することによって、係止体３が鞘本体１の内外方向に回動可能であって、少なくとも係止体３の先端部分が鞘本体１の内部に出没可能となるようにしている。
【００１２】
係止体３を係止体収容部８内において回動自在に配置するために、図示実施形態では、係止体収容部８の左右側壁及び底壁8a部分に凹所13，13を形成するとともに、図４に示すように係止体３の裏面に、前記凹所13に嵌合する短円柱状の突起14，14を形成し、この突起14を凹所13に嵌め込むことによって、係止体３を回動自在としている。すなわち、係止体３を枢着している。この取り付け構造は、別の回動構造、例えば別の軸を貫通させて軸着するものであってもよい。
【００１３】
係止体３の平面的な全体形状は、鞘本体１に形成した係止体収容部８の形状と一致するものであるが、図４に示すように係止体の裏面には、係止体収容部８に形成した窓孔8b形状に沿った形で突出部15を形成している。係止体３の裏面は、突出部15や突起14以外の部分を平面に形成している。また、係止体３の裏面には、突起14よりも上方位置に凹所としてバネ受け部16を形成するとともに、係止体収容部８の底壁8a上部にも、前記係止体３のバネ受け部16と対応する凹所であるバネ受け部17を形成し、図１に示すようにバネ受け部16と17の間にコイル状のバネ10を装着している。これにより、係止体３は、先方部分が鞘本体１の内方に回動するべく付勢された状態に組立てられる。係止体３を内方に付勢するバネは、前記コイル状のバネ10以外に、任意のバネ手段に置き換えることができる。
【００１４】
以上、述べた構造とすることによって、係止体３は、先方部分が鞘本体１の内方に向けて回動するべく付勢された状態であって、突出部15が係止体収容部８の窓孔8bから鞘本体１の内部に突出し、突出部15以外の平面部分が係止体収容部８の底壁8aに当接する状態にセットされる。すなわち、係止体３の突出部以外の面と、係止体収容部８の底壁8aとの当接がストッパー手段となって、係止体３の過回動が防止される。
【００１５】
鞘本体１の内部に突出する突出部15は、その先端が最も大きく突出し、基方に向けて直線的に低くなるように形成している。すなわち、突出部15の先端が爪11として機能するものであって、爪11に続く直線的な面がガイド面3aとなるものである。図示実施形態では、突出部15が三つ又状に分岐したリブ形状に形成されているため、リブ形状の上面がガイド面3aとなっている。しかしながら、突出部15は、リブ形状ではなく全体が台形状に膨出するものとし、その上面全体がガイド面3aとなるものであってもよい。
その他、係止体３の上端には、外側方に反り返った指掛け部3bを形成している。
【００１６】
以上述べた鞘本体１に収容する鋸４の形状は、鋸刃板５が鞘本体１に挿入され、鋸柄６先端部分が鞘本体の鋸柄先端挿入部分７に挿入することができるものであれば、特に限定されるものではない。鞘本体１に挿入する鋸４の形状は任意であるが、鋸４の具体例を図７に示している。図７に示す鋸４は、アルミニウムダイキャストなどによって成形する金属製の鋸柄６を備えたものであって、首部6aは金属を露出させ、把持部6bには滑り止めのゴム加工を施している。そして、少なくとも金属が露出している首部6aが、鞘本体１の鋸柄先端挿入部分７に挿入される形状、大きさとしている。鋸柄６の側面先端、すなわち首部6a先端の側面部分に、図８に示すような係合段部12を形成している。係合段部12よりも先方は、比較的大きなアール面で鋸柄６の前端面に連続している。係合段部12の高さは、特別に高いものである必要はなく、中央の最も高い部分で１ないし２ミリメートルとし、図面上の上下両端に向けて高さ０に収斂させるもので十分機能し、かつ見栄えの良いものとすることができる。鋸柄６を金属製とし、この金属製部分に係合段部12を形成することによって、係合段部12が摩滅が少なく、永く確実な作動を維持することができる。
【００１７】
図１に示す、本発明に係る鋸用鞘の上端開口部から、図７に示すような鋸４を挿入し、鋸柄６が鞘本体１の鋸柄先端挿入部分７に挿入されると、最初に鋸柄６の先端部分が係止体３裏面のガイド面3aに当接し、鋸４を挿入するにつれて係止体３がバネ10の弾性に抗して、図２において点線で示す外方に押し出され、さらに鋸４を深く挿入し、鋸柄６に形成した係合段部12の位置が係止体３の爪11の位置に達すると、係止体３はバネ10の弾性によって内方に回動され、図２に示すように係止体３の爪11が、鋸柄６の係合段部12に係合する。そのため、鋸４は抜け出すことができない状態に保持される。このとき、鋸柄６の先端は、比較的大きなアール面で形成しているため、係止体３を円滑に外方に押し出すことができる。また、鞘本体１の鋸柄先端挿入部分７の奥端は、鋸柄６の先端形状に合わせてあるため、挿入した鋸４は安定良く保持される。このとき、図９に示すように、鋸４を鞘本体１に挿入した状態で、鋸柄６の把持部6aが鞘本体１の上端から突出する。
【００１８】
図２や図９に示すように、鞘本体１に保持されている鋸４を取り出すには、係止体３の上端部分を手指で押圧し、図２に点線で示すように係止体３の先端を外方に回動させる。係止体３が外方に回動すると、係止体３の先端における爪11と鋸柄６の係合段部12との係合が外れ、鋸４を自由に取り出すことができる。すなわち、鞘本体１から突出している鋸柄６の把持部6aを掴んだ手の指で係止体３の上端部分、例えば外方に反り返っている指掛け部3bを押圧することによって、係止体３の爪11と鋸柄６の係合段部12との係合を外し、鋸４を簡単に抜き出すことができる。
このように、本発明に係る鋸用鞘では、鋸４を鞘本体１に収容する場合は、鋸を差し込むだけで鋸柄６に形成した係合段部12と係止体３の爪11を係合させることができるとともに、鋸４を抜き出す場合は、鋸柄６を握った手の指で係止体３の上端を押圧しながら抜き出す一連の動作で、簡単に着脱を行うことができるものである。
【図面の簡単な説明】
【００１９】
【図１】図１は、本発明に係る鋸用鞘の上部のみの縦断面図、
【図２】図２は、鋸用鞘に鋸を挿入した状態の上部のみの縦断面図、
【図３】図３は、鞘本体の上部のみの拡大正面図、
【図４】図４は、係止体３の背面図、
【図５】図５は、係止体の側面図、
【図６】図６は、係止体の中央縦断面図、
【図７】図７は、鞘本体に収容する鋸の一例を示す鋸柄部分の側面図、
【図８】図８は、図７のＡ-Ａ部分のみの拡大断面図、
【図９】図９は、鋸を挿入した使用状態を示す鋸用鞘全体の正面図。
【符号の説明】
【００２０】
１…鞘本体、  ２…吊り下げ片、  ３…係止体、  3a…ガイド面、  3b…指掛け部、  ４…鋸、  ５…鋸刃板、  ６…鋸柄、  6a…首部、  6b…把持部、  ７…鋸柄先端挿入部分、  ８…係止体収容部、  8a…底壁、  8b…窓孔、  ９…リブ、  10…バネ、  11…爪、  12…係合段部、  13…凹所、  14…突起、  15…突出部、  16，17…バネ受け部。
【図１】
2005279836.tif 000003
【図２】
2005279836.tif 000004
【図３】
2005279836.tif 000005
【図４】
2005279836.tif 000006
【図５】
2005279836.tif 000007
【図６】
2005279836.tif 000008
【図７】
2005279836.tif 000009
【図８】
2005279836.tif 000010
【図９】
2005279836.tif 000011